(57)【特許請求の範囲】
【請求項１】
挿入方向（Ｉ）に沿って相手同軸コネクタを受容するよう構成された、印刷回路基板上に実装される同軸コネクタ（１）であって、
支持部（２０）及びスイッチ部（１９）を有するコンタクト部材（１０）と、
固定脚（１６）及び弾性可撓性を有する切換え脚（１５）を有し、ばね力を生成するよう構成された接触ばね（８）と
を具備し、
前記切換え脚は、該切換え脚が弾性的に且つ導電的に前記コンタクト部材の前記スイッチ部を押圧すると共にばね力の伝達経路（Ｆ）が前記切換え脚から前記コンタクト部材を介して閉ループ内で前記接触ばねに戻って案内される停止位置から、挿入された前記相手同軸コネクタにより前記切換え脚が切換え方向（Ｄ）に沿って前記スイッチ部から離間する切換え位置まで、前記相手同軸コネクタの挿入により移動する同軸コネクタにおいて、
前記コンタクト部材は、前記支持部及び前記スイッチ部により囲まれた開口（Ｏ）を形成するほぼＣ形状のクリップとして形成され、
前記接触ばねの前記切換え脚は、前記開口内に延びており、
前記固定脚は、前記Ｃ形状のクリップの前記開口内に延びており、
前記切換え脚は、前記スイッチ部に接触力（Ｃ）を及ぼし、
前記固定脚は、前記支持部に支持力（Ｓ）を及ぼし、
前記接触力及び前記支持力は互いに整列していることを特徴とする同軸コネクタ。
【請求項２】
前記切換え方向は前記挿入方向と平行であることを特徴とする請求項１記載の同軸コネクタ。
【請求項３】
前記コンタクト部材は、前記支持部及び前記スイッチ部を連結する後部（２１）を具備し、
前記後部は、前記接触力とほぼ平行に延びていることを特徴とする請求項１又は２記載の同軸コネクタ。
【請求項４】
前記接触ばねは、前記同軸コネクタの外部からアクセス可能に配置されたばね端子（１８）に電気接続されていることを特徴とする請求項１ないし３のうちいずれか１項記載の同軸コネクタ。
【請求項５】
前記同軸コネクタは、挿入開口（３）を有するハウジング（２）を具備することを特徴とする請求項１ないし４のうちいずれか１項記載の同軸コネクタ。
【請求項６】
前記ハウジングは、前記相手同軸コネクタの挿入時に該相手同軸コネクタが接続される相手同軸コネクタ受容部を形成し、
前記接触ばねは、ばね曲げ部（９）を具備し、
前記切換え脚及び前記固定脚は、前記ばね曲げ部から前記相手同軸コネクタの前記挿入軸（Ｉ）を通って延びていることを特徴とする請求項１ないし５のうちいずれか１項記載の同軸コネクタ。
【請求項７】
前記コンタクト部材は、単一の本体として一体に形成されていることを特徴とする請求項１ないし６のうちいずれか１項記載の同軸コネクタ。
【請求項８】
前記コンタクト部材は、前記同軸コネクタの外部からアクセス可能に配置された端子部（２２）を具備することを特徴とする請求項１ないし７のうちいずれか１項記載の同軸コネクタ。
【請求項９】
前記コンタクト部材は、打抜き加工された金属板から形成され、両端がＣ形状となるよう約90°に曲げられていることを特徴とする請求項１ないし８のうちいずれか１項記載の同軸コネクタ。
【請求項１０】
前記同軸コネクタは、印刷回路基板上に配置されるように構成されたほぼ平坦な実装基部（Ｂ）を有し、
前記ばね端子及び前記端子部は、前記実装基部に配置されていることを特徴とする請求項１ないし９のうちいずれか１項記載の同軸コネクタ。
【請求項１１】
前記挿入方向に直交する方向から見て、前記ハウジングは少なくとも１個の対角線を有するほぼ多角形の形状であり、
前記接触ばねは、前記対角線に沿って延びていることを特徴とする請求項１ないし１０のうちいずれか１項記載の同軸コネクタ。
【請求項１２】
前記同軸コネクタは、印刷回路基板上の前記同軸コネクタに割り当てられた所定の外形（６）内に位置するよう構成された外形を有し、
前記同軸コネクタは、前記外形内に凹部（４ａ，４ｂ）をさらに有し、
前記凹部は、前記同軸コネクタの前記挿入方向と平行な嵌合面（１１）から実装基部（Ｂ）まで前記同軸コネクタを貫通することを特徴とする請求項１ないし１１のうちいずれか１項記載の同軸コネクタ。
【請求項１３】
前記同軸コネクタは、前記挿入開口を少なくとも部分的に取り囲むと共に前記ハウジングを包囲する導電性の接地導体（２６）を具備することを特徴とする請求項１ないし１２のうちいずれか１項記載の同軸コネクタ。
【請求項１４】
前記接地導体は、前記挿入方向とほぼ平行に延びる少なくとも一面を有し、
前記一面は、前記相手同軸コネクタの少なくとも１個のロック部材を保持するよう設計された少なくとも１個の凹部（３０ａ，３０ｂ）を有することを特徴とする請求項１３記載の同軸コネクタ。
【発明の詳細な説明】
【技術分野】
【０００１】
本発明は、挿入方向に沿って相手同軸コネクタを受容するよう構成された、印刷回路基板上に実装する同軸コネクタに関する。同軸コネクタはコンタクト部材を具備する。コンタクト部材は、同軸コネクタの外側からアクセス可能に配置された端子部、支持部及びスイッチ部を有する。接触ばねは、ばね力を生成するよう構成され、固定脚及び弾性的に可撓性を有する切換え脚を有する。接触ばねは、同軸コネクタの外側からアクセス可能に配置されたばね端子に電気接続されている。切換え脚は、相手コネクタの挿入により停止位置から移動するよう構成されている。停止位置では、切換え脚が弾性的且つ導電的にコンタクト部材のスイッチ部を押圧し、ばね力の伝達経路（flux）が切換え脚からコンタクト部材を介して閉ループ内で接触ばねに戻って切換え位置まで案内される。停止位置では、切換え脚が、挿入された相手コネクタにより切換え方向に沿ってスイッチ部から離間している。
【背景技術】
【０００２】
同軸コネクタは、同軸ケーブルを電気機器に接続するものとして周知である。切換え機能を有する同軸コネクタは、外部アンテナを接続する可能性を提供するために、例えば携帯電話、無線ＬＡＮデバイス、無線システム及び遠隔計測機器に使用されている。外部アンテナが接続されると、デバイスの内部アンテナは、切換え機能により接続解除される。
【０００３】
また、切換え機能を有する同軸コネクタは、印刷回路基板の部品の試験のために、試験プローブを印刷回路基板に接続するものとしても公知である。
【０００４】
米国特許第５６２５１７７号明細書は、印刷回路基板上に実装された同軸コネクタを開示する。同軸コネクタは、内部導体及び誘電体により内部導体から分離された外部導体を有する、第２同軸コネクタに対応する嵌合部を具備する。同軸コネクタは、挿入開口の下に配置されると共に印刷回路基板に電気接続された可動の切換え脚を有する。切換え脚は、印刷回路基板の第２部分に電気接続された第２回路部に当接する。挿入開口内に差込み（plug-in）コンタクトが挿入されると、ばねアームは撓み、これによりばねアーム及び第２接触部の接触が解除される。同時に、差込みコネクタ及びばねアームが電気的に接触する。
【０００５】
英国特許出願公開第２３０７１１３号明細書は、携帯電話に外部アンテナを接続するための同軸コネクタを開示する。同軸コネクタは、挿入方向に沿って相手同軸コネクタを受容するよう構成された挿入開口を有するハウジングと、印刷回路基板に接続するための部分を有する第１及び第２のコンタクトとを具備する。第１及び第２のコンタクト間には、切換え脚が延びている。切換え脚は、２個のコンタクトを電気的に接続させる位置へ付勢されている。差込み導体によって切換え脚の接触部に印加された圧力は、電気接触の接続を解除するように弾性的に切換え脚を撓ませる。
【０００６】
国際公開第９８／３１０７８号パンフレットもまた、携帯電話に外部アンテナを接続する同軸コネクタ組立体を開示する。同軸コネクタは、携帯電話等のデバイス内の印刷回路基板上に実装される。同軸コネクタは接触ばねを具備する。接触ばねは、ハウジング内の固定部から中心ピンの挿入経路を通って接触脚まで延びる１本のばね脚を有する。非嵌合状態において、接触ばねは、接触突起の位置で接触脚に接触する。相手コネクタが同軸コネクタに嵌合すると、差込みコンタクトは、中心ピンに当接して中心ピンを押下する。この結果、中心ピンは接触ばねの付勢に抗して下方へ移動するので、接触ばねから接触脚への接続が遮断される。同軸コネクタの接触ばねからの信号は、中心導体を通って中心ピンを介して供給される。
【０００７】
また、英国特許出願公開第２３５１６１７号明細書は、同軸コネクタが使用される際に、中心ピンが接触ばねの弾性脚と相互作用してスイッチとして作動する、同様の同軸コネクタを開示する。
【０００８】
欧州特許出願公開第１０３９５８８号明細書により、印刷回路基板上に実装するためのスイッチが公知であり、同軸コネクタの内部コンタクトは、付勢されたばね脚により形成されている。差込みコンタクトが挿入開口内に挿入されると、ばね脚は、ばね脚の端部及び印刷回路基板上のコンタクト間の電気接触が解除される嵌合方向に沿って移動する。
【０００９】
欧州特許出願公開第１２７８２７４号明細書は、携帯電話内で使用する同軸コネクタ組立体を開示する。同軸コネクタ組立体は、携帯電話のハウジング内に配置されている。第１同軸コネクタは、携帯電話の印刷回路基板上に実装されると共に、第１同軸コネクタに固定された接触ばねを具備する。接触ばねは、第１同軸コネクタの内部コンタクトを形成すると共に、嵌合面から先端としてのＵ形状部が突出する。接触ばねの内部コンタクトは、軸方向に沿って可動であり、第２導体からの信号又は内部アンテナからの信号を切り換える。第１及び第２の同軸コネクタの嵌合時に、接触ばねの内部コンタクトは、その接触部を相手接触部から分離するように押下される。
【発明の開示】
【発明が解決しようとする課題】
【００１０】
これら公知のタイプのコネクタのばね設計は、ばねの適当な撓みを得ようとする場合、大きなハウジングを必要とする。
【００１１】
外部アンテナに接続するために携帯電話において使用されるマイクロスイッチコネクタは、国際公開第２００４／０７７６２６号パンフレットにより公知である。コネクタのハウジングは、差込みコンタクトの挿入用の挿入開口を介して、上端でアクセス可能なコンタクト室を有する。コンタクト室に配置された接触ばねは、ばね曲げ部を介して相互に接続された固定脚及び切換え脚を有する。差込みコンタクトがコネクタに嵌合していないと、切換え脚の自由端は、ハウジングの停止部に当接した状態で停止する。停止部は、金属コーティング面を有するハウジング領域に属するので、切換え脚及び停止部が電気的に接触する結果となる。停止部は、印刷回路基板の導体と接触するために設けられた、ハウジングの接触面と電気接続する。相手コネクタの差込みコンタクトがコンタクト室内に挿入されると、差込みコンタクトは、挿入方向に直交する方向に切換え脚を移動させ、切換え脚の自由端を導電停止部から持ち上げる。これにより、ハウジングの接触面と接触ばねとの電気接続が解除される。同時に、固定脚の端部に接続された電気部品と、差込みコンタクトに接続された別の電気部品とが電気接続される。
【００１２】
国際公開第２００４／０７７６２６号パンフレットのコネクタは、多くの用途では大き過ぎる。
【００１３】
従って、本発明は、より小型のコネクタを提供することを目的とする。
【課題を解決するための手段】
【００１４】
上述の目的は、ほぼＣ形状のコンタクト部材の実施形態により達成される。ここで、コンタクト部材は、支持部及びスイッチ部により囲まれた開口を形成するクリップとして形成されている。接触ばねの切換え脚は、開口内に延びている。このＣ形状のコンタクト部材により、接触ばねの外側のばね力の伝達経路が短くなる。これにより、ハウジングからの抜去が、接触ばねを支持すると共に力の伝達経路を伝えることが可能になるので、同軸コネクタをより小型にすることが可能になる。
【００１５】
別の有利な実施形態において、切換え方向は、挿入方向と平行に配置されている。この解決手段により、接触ばねの切換え脚を挿入方向に直交して配置することが可能になるので、同軸コネクタを平坦な形状にすることが可能になる。印刷回路基板上のコネクタの所与の輪郭内で最長距離を利用することにより、オフに切り換える際にはコンタクトの適当な開口のため十分なストロークをもって、オンに切り換える際には信頼性の高いコンタクトのために十分な接触を提供するばねを設計することが可能である。
【００１６】
技術水準において、スイッチのために接触力を生成するばねは、ハウジング内に封入されるのが代表的である。通常、ハウジングは、接触力のために支持を提供する、すなわち、ばね基部をハウジングに固定することを介して、ばねに対するスプリングバックにより生成される力の伝達経路を案内する。ハウジングは、プラスチックで形成されると、コネクタがリフロー炉内で半田付けされる際に弱くなる傾向がある。接触力の負荷の下ではコンタクトが下にあるハウジングの面内に移動してしまうので、ハウジングの弱体化は、接触力を危うくするおそれがある。
【００１７】
同軸コネクタは、単一の本体として一体に形成されたコンタクト部材を具備するのが好適である。コンタクト部材は、ばね力の伝達経路を短くするために、ばね脚の対向する両端に配置することができる。熱に鈍感な別体の部品内で閉ループのばね力の伝達経路を案内することにより、接触力は、ハウジングの応力緩和により弱くならない。ばねが直接生成した接触力を接触力の印加の線に沿って接触ばねの固定部に案内することにより、力又はねじりモーメントがハウジングに印加されない。
【００１８】
力の伝達経路を周囲のハウジングから分断するために、コンタクト部材は、ハウジングの材料よりも大きな弾性係数を有する材料から形成されてもよい。ハウジングがプラスチックから形成される場合、コンタクト部材は例えば金属から形成してもよい。
【００１９】
嵌合後の相手コネクタをロックするために、同軸コネクタのハウジングは、相手コネクタの相補的な突起を保持する少なくとも１個の突起係止部を有してもよい。この突起係止部は、デバイスの小さな寸法に適する簡単な形状を提供するよう同軸コネクタの下面側の凹部であってもよい。
【００２０】
別の有利な一実施形態において、代表的には同軸コネクタの一体化された部分である接地導体は、省略してもよい。同軸コネクタに追加部品を一体化する代わりに、実装された同軸コネクタに隣接する印刷回路基板上に、嵌合後の相手コネクタの接地導体に接続するための接地コンタクトを設けてもよい。この解決手段の利点は、低コスト、簡単な組立工程、及び接地コンタクト及び信号コンタクト間の距離を拡大できる可能性があることである。
【００２１】
印刷回路基板上にコネクタを実装するために外形すなわち外輪郭が規定される場合、コネクタの実装基部の外形は、印刷回路基板上の外形に適合させることができる。同軸コネクタの上面から嵌合方向に沿って印刷回路基板の表面まで延びる凹部を同軸コネクタに用意することにより、相手コネクタの接地コンタクトを印刷回路基板の接地層上に直接案内してもよい。この実施形態は、同軸コネクタを縮小することを可能にする。相手コネクタの接地導体を印刷回路基板の接地コンタクトに電気接続するために、相手コネクタは、相手コネクタがコネクタに嵌合している間、接地層に押圧されるばね付勢されたピンを具備してもよい。
【００２２】
本発明の別の一実施形態において、同軸コネクタは、同軸コネクタの挿入開口の隣に、同軸コネクタの上面に配置された接地導体を具備する。この接地導体は、例えば好適には円形孔を有する打抜き加工された金属条片から形成されてもよい。この円形孔は、挿入開口の外形に合致する。密着嵌めすなわち積極的ロックにより接地導体を固定するために、接地導体を表わす金属板は、ハウジングの側面の周囲に曲げられた金属ストラップを具備してもよい。金属ストラップは、ハウジングの側面に沿って上からハウジングを包囲することにより、ハウジングに対して密着嵌めを提供することができる。ハウジングの実装基部内で金属ストラップの端部を凹部内に曲げることにより、密着嵌めを閉じることができる。
【００２３】
相手コネクタをロックするために、接地導体のラッチは、相手コネクタに属する突起を係止するための突起係止部を提供する切欠を有してもよい。
【図面の簡単な説明】
【００２４】
【図１】本発明の同軸コネクタの第１実施形態を示す斜視図である。
【図２】図１のＡ−Ａ線に沿った本発明の第１実施形態の断面図である。
【図３】本発明の第１実施形態に係る同軸コネクタの一部を示す斜視図である。
【図４】同軸コネクタの第１実施形態を示す平面図である。
【図５】同軸コネクタの第１実施形態の部分を示す平面図である。
【図６】同軸コネクタの第２実施形態を示す斜視図である。
【発明を実施するための形態】
【００２５】
以下、添付図面を参照し２つの実施形態を使用して、本発明を例示により説明する。２つの実施形態の異なる特徴及びそれにより達成される利点は、実施形態から浮かび上がるように、その過程で自在に互いに結合し、又は省略してもよい。
【００２６】
図１は、本発明の典型的な一実施形態に係る同軸コネクタを上から見た斜視図である。同軸コネクタ１は、ほぼ立方体の形状であるハウジング２を具備する。ハウジング２の上面には、図示されていない差込みコンタクトを挿入方向Ｉに挿入するための挿入開口３が設けられている。ハウジング２は、対角方向に対向する半円形凹部４ａ，４ｂを有する。半円形凹部４ａ，４ｂは、同軸コネクタ１を実装するための所与の外形６内ですぐ下の不図示の印刷回路基板上に開放円形面５を残すように対向隅に位置する。輪郭が全体として外形６内に刻み込まれてもよいので、外形６は、同軸コネクタ１の許容できる外輪郭を決定する。半円形凹部４ａ，４ｂの垂直縁及びハウジング上面の半円形凹部と境を接する半円形縁７ａ，７ｂは、面取りされている。接触ばね８は、半円形凹部４ａ，４ｂを連結する対角線に直交する、矩形の外形６の対角線に沿った向きを向く。
【００２７】
接触ばね８は、好適には縦方向の一端に、以下ではばね曲げ部９と称される曲げ部をさらに有する。ばね曲げ部９に対向して、コンタクト部材１０がハウジング２内に挿入され、接触ばね８が生成するばね力伝達経路Ｆが閉ループ内で接触ばね８に戻るよう案内する。コンタクト部材１０の後部２１の外面は、嵌合面１１に直交すると共に、コンタクト部材１０からばね曲げ部９まで延びるハウジング２の対角線に直交して配置される。後部２１の外面は、同軸コネクタ１の外面と一体の部分である。ばね曲げ部９が位置する、対角線の反対側の端部で、ハウジング２の垂直縁が面取りされている。
【００２８】
挿入方向Ｉを横断して延びる同軸コネクタ１のハウジングの上面は、嵌合面１１として作用する。隣接する印刷回路基板（図示せず）に対向する同軸コネクタ１の下面で且つ半円形凹部４ａ，４ｂの領域に、ハウジング２は、嵌合面１１と平行に延びる凹部１２を有する。これらの凹部１２は、挿入方向Ｉに直交する、ハウジング２の上面と平行に延びる縁１３を与える。
【００２９】
図２は、図１のＡ−Ａ線に沿った本発明の第１実施形態の断面図である。この図は、同軸コネクタ１のハウジング２内での接触ばね８及びコンタクト部材１０の配置を示している。
【００３０】
図示されていない差込みコンタクトが挿入される挿入開口３は、差込みコンタクトの挿入を容易にする漏斗状部１４を形成するよう面取りされる。挿入開口３の下で、接触ばね８は、ばね曲げ部９が配置されたハウジング２の第１縁から、コンタクト部材１０が配置されたハウジング２の第２縁まで対角方向に延びている。ばね曲げ部９は、切換え脚１５を固定脚１６に結合する。接触ばね８は、切換え脚１５の端部に接触部１５ａを有すると共に、固定脚１６の端部に支持部１６ａを有する。さらに、接触ばね８は、固定脚１６の中間部からばね曲げ部９への方向に延びる端子脚１７を具備する。端子脚１７は好適には、実装基部Ｂで外側からアクセス可能であるばね端子１８と一体である。接触ばね８の切換え脚１５は挿入開口３に当接する。接触ばね８は、例えば導電金属等であって、金属板から一体品で打抜き加工されるのが好適である導電材料から形成されてもよい。
【００３１】
コンタクト部材１０は、後部２１により連結されたスイッチ部１９及び反対側の支持部２０を有する。コンタクト部材１０は、支持部２０に隣接する位置に端子部２２を有する。コンタクト部材１０の後部からばね曲げ部９まで延びるハウジング２の対角線に沿ってコンタクト部材１０を押圧することにより、コンタクト部材１０がハウジング２内に実装されるのが好適である。また、ハウジング２の対角線に沿って接触ばね８をハウジング２内に押圧することにより、接触ばね８を実装してもよい。
【００３２】
接触ばね８の切換え脚１５及び固定脚１６の双方は、挿入軸Ｉを交差すると共に、スイッチ部１９及び支持部２０により囲まれるコンタクト部材１０の開口Ｏ内に延びる。付勢された切換え脚１５の接触部１５ａはコンタクト部材１０のスイッチ部１９に当接し、固定脚１６の支持部１６ａはコンタクト部材１０の支持部２０に当接する。接触部１５ａは、コンタクト部材１０のスイッチ部１９上に接触力Ｃを及ぼす。ばね曲げ部９の反対側で、コンタクト部材１０は、切換え脚１５からスイッチ部１９を通って支持部２０まで力の伝達経路Ｆを案内する。この位置から、力の伝達経路Ｆは、絶縁材料２３を横断し、閉ループ内で固定脚１６の支持部１６ａに到達する。支持部１６ａにおいて、力の伝達経路Ｆは支持力Ｓとなる。接触力Ｃ及び支持力Ｓは互いに整列しているので、ねじれモーメントは生じない。絶縁材料２３は、ハウジング２と一体の部分であり、囲い込みにより所定位置にコンタクト部材１０を保持する。
【００３３】
相手コネクタの一部を構成する差込みコンタクトが挿入開口３内に挿入されると、挿入開口３に隣接して配置された切換え脚１５は差込みコンタクトにより弾性的に押下され、切換え脚１５を押下することにより、固定脚１６の少なくとも一部及び切換え脚１５が撓む。切換え脚１５を挿入方向Ｉに沿って移動することにより、切換え脚１５の接触部１５ａ及びコンタクト部材１０のスイッチ部１９間の電気接触が解除される。切換え脚１５は挿入方向Ｉに対して横断する方向に配置されているので、切換え方向Ｄ、すなわち切換え脚１５の接触部１５ａの移動方向は、挿入方向Ｉと平行である。
【００３４】
切換え脚１５は、相手コネクタの嵌合面が嵌合面１１に当接する嵌合位置まで移動することができる。或いは、切換え脚１５は、固定脚１６に当接するまで、挿入方向Ｉにほぼ沿って移動してもよい。嵌合位置において、差込みコンタクトは、導電性を有する接触ばねに電気接続される。これにより、差込みコンタクトは、ばね端子１８を介して印刷回路基板に接続される。
【００３５】
図３は、本発明の典型的な一実施形態に係る接触ばね８を上側から見た斜視図である。接触ばね８と一体の部品としてのばね端子１８は、後に固定脚１６を形成する金属条片の一部から打ち抜かれてもよい。金属条片は、ばね曲げ部９の方向にばね固定脚１６の支持部１６ａから始まって打ち抜かれる。印刷回路基板に実装するためにアクセス可能なばね端子１８を形成するために、端子脚１７は、この位置からばね曲げ部９の方向にほぼ沿って約90°の角度で下方へ曲げられ、同軸コネクタ１の実装レベルまで延びる。端子脚１７は、ばね曲げ部９の下の位置まで固定脚１６と平行に延びる。端子脚１７の端部において、金属条片は、例えば半田付けによって印刷回路基板に固定されたばね端子１８を提供するようほぼ矩形形状に形成される。
【００３６】
ばね曲げ部９は、金属条片の半円形部からなり、固定脚１６を切換え脚１５に接続する。ばね曲げ部９から始まる切換え脚１５は、固定脚１６の方向に沿って急角度で切換え脚１５の約１／３まで延びており、この位置から、コンタクト部材１０のスイッチ部１９の方向に沿って上方へ平坦状に延びる。切換え脚１５の接触部１５ａは、ばね固定脚１６の支持部１６ａと同様に、コンタクト部材１０のスイッチ部１９及び端子部２０の間に配置される。弾性的に撓む切換え脚１５は、スイッチ部１９を押圧すると共に、接触ばね８及びコンタクト部材１０間に導電接触を生じさせる。固定脚１６は、コンタクト部材１０のスイッチ部１９から固定脚１６まで延びる力の伝達経路を伝達する絶縁材料２３の一部上に配置される。導電性を有するコンタクト部材１０により、切換え脚１５は、コンタクト部材１０の端子部２２に導電接続される。
【００３７】
コンタクト部材１０は、例えば導電性金属板等の材料の一体品から形成することができる。両端は、互いに平行な対向する離間した２面を有するＣ形状となるように約90°に曲げられている。コンタクト部材１０の上面はスイッチ部１９を形成し、コンタクト部材１０の下面は支持部２０を形成する。スイッチ部１９及び支持部２０は、好適には直線的で垂直である後部２１により連結される。スイッチ部１９は、端子部２２をスイッチ部１９に導電接続する、コンタクト部材１０の後部２１から始まり、ばね曲げ部９の方向に固定脚１６と平行に延びている。スイッチ部１９は、コンタクト部材１０の後部２１から始まり、約90°の角度に広がる。
【００３８】
図４は、同軸コネクタ１の平面図である。印刷回路基板上の矩形の外形６は、同軸コネクタ１を実装するために与えられている。同軸コネクタ１の外形は、この外形６内に位置するように構成されてもよい。ばね曲げ部９が配置されたハウジング２の縁は、面取りされている。ハウジング２の面取りされた縁２４の下には、印刷回路基板上に三角形の面２５が残される。半円形凹部４ａ，４ｂは、印刷回路基板上のほぼ円形面５ａ，５ｂと境を接する。
【００３９】
図５は、印刷回路基板上の所与の矩形外形６内での接触ばね８及びコンタクト部材１０の位置を示す図である。脚１５，１６は、矩形の外形６の対角線に沿って配向されている。これは、外形６内での接触ばね８の最大長さに対応する。印刷回路基板にほぼ直交するばね端子１８の縁は面取りされているので、ばね端子１８の外形は、垂直方向から見て矩形の外形６と整列している。コンタクト部材１０の後部２１は、ばね曲げ部９及びコンタクト部材１０の後部２１を接続する外形６の対角線に対して直交して配置されている。コンタクト部材１０の端子部１９はばね曲げ部９の方向に広がっているので、端子部１９の両側面はそれぞれ、印刷回路基板の矩形の外形６の辺と平行に延びている。
【００４０】
図６に、接地導体２６を有する同軸コネクタ１の別の実施形態が示される。簡潔にするために、図１の実施形態との差異のみを考慮する。また、図１ないし図５における参照符号は、同等の機能を有する図６における要素に関連する限りにおいて使用される。
【００４１】
同軸コネクタ１は、金属板の一体品から形成される接地導体２６を具備する。接地導体２６は、漏斗状部１４と同軸状に実装された、外径が漏斗状部１４の外径より大きい開口２７を有する。接地導体２６は、２個の条片部２８ａ，２８ｂによりハウジング２を取り囲む。条片部２８ａ，２８ｂは、約90°の角度に曲げられ、挿入方向Ｉに沿って延びる。各条片部２８ａ，２８ｂは、同軸コネクタ１の実装基部Ｂに隣接する凹部２９でハウジング２を包囲する。条片部２８ａ，２８ｂは、外形がハウジング２の対応する凹部３１ａ，３１ｂと整列する切欠３０ａ，３０ｂを具備する。これにより、同軸コネクタ１は、相手コネクタの一部である突起を保持する係止部として作用できるキャビティを提供する。同軸コネクタ１の平坦な上面では、コンタクト部材１０の方向に延びる接地導体２６の三角形部３２が、ハウジング２の縁まで同軸コネクタ１の上面を覆う。接地導体２６の小さな横面３３は、ハウジング２の垂直な横面と整列する。
【符号の説明】
【００４２】
１              同軸コネクタ
２              ハウジング
３                挿入開口
４ａ，４ｂ        半円形凹部（凹部）
１１              嵌合面
６              外形
８              接触ばね
９                ばね曲げ部
１５              切換え脚
１６              固定脚
１０            コンタクト部材
１９              スイッチ部
２０              支持部
２１              後部
２２              端子部
１８            ばね端子
２６            接地導体
３０ａ，３０ｂ    切欠（凹部）
Ｂ              実装基部
Ｃ              接触力
Ｄ              切換え方向
Ｆ              力の伝達経路
Ｉ              挿入方向
Ｏ              開口
Ｓ              支持力
【図１】
0005413988.tif 000002
【図２】
0005413988.tif 000003
【図３】
0005413988.tif 000004
【図４】
0005413988.tif 000005
【図５】
0005413988.tif 000006
【図６】
0005413988.tif 000007